(57)【要約】【課題】装置構成を簡易にしながら、装置の転倒の防止および装置の移動の規制を効果的に行うことができる給紙装置を提供する。【解決手段】給紙装置は、本体部と、キャスターと、転倒防止具４１ａとを備える。転倒防止具４１ａは、本体部に取り付けられ、車輪の転がりによる移動を規制すると共に、本体部の転倒を防止する。転倒防止具４１ａは、車輪収容部材４２と、支持部材４３とを含む。車輪収容部材４２は、弾性を有し、円弧状であって、車輪を囲うようにして車輪を収容する空間を内方側に形成し、車輪の転がり面に沿った曲面が内方側の壁面に設けられた円弧状部材４６を含む。支持部材４３は、剛性を有する部材であって、給紙装置を載置する載置面に対向するようにして配置される平坦部６１、および平坦部６１から立ち上がるようにして設けられており、車輪収容部材４２が取り付けられる立ち上がり部６２を含む。【選択図】図４
2016161607.tif 000002
【特許請求の範囲】
【請求項１】
用紙を供給する給紙装置であって、
用紙を収納する用紙収納部、および用紙を搬送する用紙搬送部を含む本体部と、
車輪を含み、前記本体部の下方側に取り付けられるキャスターと、
前記本体部に取り付けられ、前記車輪の転がりによる移動を規制すると共に、前記本体部の転倒を防止する転倒防止具とを備え、
前記転倒防止具は、
弾性を有し、円弧状であって、前記車輪を囲うようにして前記車輪を収容する空間を内方側に形成し、前記車輪の転がり面に沿った曲面が前記内方側の壁面に設けられた円弧状部材を含む車輪収容部材と、
剛性を有する部材であって、前記給紙装置を載置する載置面に対向するようにして配置される平坦部、および前記平坦部から立ち上がるようにして設けられており、前記車輪収容部材が取り付けられる立ち上がり部を含む支持部材とを含む、給紙装置。
【請求項２】
前記車輪収容部材は、前記円弧状部材の外方側に突出する突出部を含み、
前記立ち上がり部には、前記突出部を挿通させる挿通孔が設けられており、
前記車輪収容部材は、前記挿通孔に前記突出部を挿通させて前記支持部材に取り付けられる、請求項１に記載の給紙装置。
【請求項３】
前記突出部は、円柱部を含み、
前記挿通孔は、丸孔状であり、
前記円柱部の径は、前記挿通孔の径よりも小さい、請求項２に記載の給紙装置。
【請求項４】
前記円弧状部材の内方側の壁面は、円弧面であり、
前記円弧面の径は、前記車輪の径よりも大きい、請求項１〜３のいずれか１項に記載の給紙装置。
【請求項５】
前記支持部材は、一枚の板状の金属部材を折り曲げて形成される、請求項１〜４のいずれか１項に記載の給紙装置。
【請求項６】
前記平坦部および前記立ち上がり部のうちの少なくともいずれか一方には、板厚方向に膨出する膨出部が設けられている、請求項５に記載の給紙装置。
【請求項７】
用紙を供給する給紙装置、および前記給紙装置によって供給された用紙に画像を形成する画像形成部とを含む画像形成装置であって、
前記給紙装置は、
用紙を収納する用紙収納部、および用紙を搬送する用紙搬送部を含む本体部と、
車輪を含み、前記本体部の下方側に取り付けられるキャスターと、
前記本体部に取り付けられ、前記車輪の転がりによる移動を規制すると共に、前記本体部の転倒を防止する転倒防止具とを備え、
前記転倒防止具は、
弾性を有し、円弧状であって、前記車輪を収容する空間を内方側に形成し、前記車輪の転がり面に沿った曲面が前記内方側の壁面に設けられた円弧状部材を含む車輪収容部材と、
剛性を有する部材であって、前記給紙装置を載置する載置面に対向するようにして配置される平坦部、および前記平坦部から立ち上がるようにして設けられており、前記車輪収容部材が取り付けられる立ち上がり部を含む支持部材とを含む、画像形成装置。
【発明の詳細な説明】
【技術分野】
【０００１】
この発明は、給紙装置、および画像形成装置に関するものである。
【背景技術】
【０００２】
デジタル複合機に代表される画像形成装置や情報機器等においては、装置や機器の移動を容易にするためにキャスターが取り付けられているものがある。
【０００３】
ここで、キャスターが設けられた画像形成装置等について、転倒の防止やキャスターの転がりの防止に関する技術が、特開平１０−１８４７８４号公報（特許文献１）、特開平１０−２６４６０４号公報（特許文献２）、および特開平１１−３５１７２号公報（特許文献３）に開示されている。
【０００４】
特許文献１には、複数のキャスターとアジャスターを有する事務機器に設けられる衝撃振動吸収装置であって、少なくとも一つのキャスター若しくはアジャスターを外側から包む包含手段と、包含手段を上面に載置する床面上に施設される施設手段と、包含手段の外周部に当接して衝撃又は振動エネルギーを吸収する吸収手段とで構成したことを特徴とするものが開示されている。
【０００５】
特許文献２によると、外径φ５０〜φ７５の車輪と、この車輪を保持する車輪保持部と、車輪に対して接離可能に構成された車輪押圧部と、この車輪押圧部を車輪に対して離接させる離接手段と、この離接手段において車輪押圧部と車輪が離れたキャスター固定解除位置と、車輪押圧部と車輪が接したキャスター固定位置のそれぞれの位置における位置決め手段と、車輪保持部を回転自在に保持するベースを有するキャスターにおいて、キャスター固定位置における車輪の回転トルクが３〜１０Ｋｇ・ｃｍであることを特徴とするキャスターが開示されている。
【０００６】
特許文献３によると、シートを積載するシート積載手段と、シート積載手段からシートを送り出すシート給送手段を具備するシート給送装置本体と、シート給送装置本体の下部に設けられたキャスターを有するシート給送装置において、キャスターは、その装着面に垂直の旋回軸の周りに旋回自在の旋回フレームと、フレームに車軸により回転自在に支持された車輪を有し、フレームと車輪の間に、所定値以下のトルクに対しては車輪の回転を禁止するトルクリミッタ機構が設けられていることを特徴とするシート給送装置が開示されている。
【先行技術文献】
【特許文献】
【０００７】
【特許文献１】特開平１０−１８４７８４号公報
【特許文献２】特開平１０−２６４６０４号公報
【特許文献３】特開平１１−３５１７２号公報
【発明の概要】
【発明が解決しようとする課題】
【０００８】
特許文献１によると、キャスターを包含する輪止めは、ヒンジを中心に適宜な角度に開く構成としている。しかし、このような構成では、装置構成が複雑になってしまうこととなる。特許文献２によれば、例えば、車輪の寸法が規定された範囲外であった場合に対応することができない。特許文献３に開示の技術についても、トルクリミッタ機構を設ける必要があり、これもまた装置構成が複雑となってしまうこととなる。
【０００９】
この発明の目的は、装置構成を簡易にしながら、装置の転倒の防止および装置の移動の規制を効果的に行うことができる給紙装置を提供することである。
【００１０】
この発明の他の目的は、装置構成を簡易にしながら、装置の転倒の防止および装置の移動の規制を効果的に行うことができる画像形成装置を提供することである。
【課題を解決するための手段】
【００１１】
この発明の一の局面においては、給紙装置は、用紙を供給する給紙装置である。給紙装置は、本体部と、キャスターと、転倒防止具とを備える。本体部は、用紙を収納する用紙収納部、および用紙を搬送する用紙搬送部を含む。キャスターは、車輪を含み、本体部の下方側に取り付けられる。転倒防止具は、本体部に取り付けられ、車輪の転がりによる移動を規制すると共に、本体部の転倒を防止する。転倒防止具は、車輪収容部材と、支持部材とを含む。車輪収容部材は、弾性を有し、円弧状であって、車輪を囲うようにして車輪を収容する空間を内方側に形成し、車輪の転がり面に沿った曲面が内方側の壁面に設けられた円弧状部材を含む。支持部材は、剛性を有する部材であって、給紙装置を載置する載置面に対向するようにして配置される平坦部、および平坦部から立ち上がるようにして設けられており、車輪収容部材が取り付けられる立ち上がり部を含む支持部材とを含む。
【００１２】
この発明の他の局面においては、画像形成装置は、用紙を供給する給紙装置、および給紙装置によって供給された用紙に画像を形成する画像形成部とを含む。給紙装置は、用紙を供給する給紙装置である。給紙装置は、本体部と、キャスターと、転倒防止具とを備える。本体部は、用紙を収納する用紙収納部、および用紙を搬送する用紙搬送部を含む。キャスターは、車輪を含み、本体部の下方側に取り付けられる。転倒防止具は、本体部に取り付けられ、車輪の転がりによる移動を規制すると共に、本体部の転倒を防止する。転倒防止具は、車輪収容部材と、支持部材とを含む。車輪収容部材は、弾性を有し、円弧状であって、車輪を囲うようにして車輪を収容する空間を内方側に形成し、車輪の転がり面に沿った曲面が内方側の壁面に設けられた円弧状部材を含む。支持部材は、剛性を有する部材であって、給紙装置を載置する載置面に対向するようにして配置される平坦部、および平坦部から立ち上がるようにして設けられており、車輪収容部材が取り付けられる立ち上がり部を含む。
【発明の効果】
【００１３】
このような給紙装置によると、車輪収容部材に含まれ、弾性を有する円弧状部材によって、車輪を円弧状部材の内方側に収容する際に、簡易な構成としながら、弾性変形を利用して容易に収容させることができる。この場合、車輪収容部材は、車輪を囲うようにして内方側の空間を形成する円弧状部材を含むため、例えば、本体部を持ち上げることなく車輪を収容させることができ、作業性の向上を図ることができる。また、円弧状部材を構成する内方側の壁面が、車輪の転がり面に沿った曲面で構成されているため、より適切に車輪の転がりによる移動を規制することができる。また、支持部材は、給紙装置を載置する載置面に対向するようにして配置される平坦部および車輪収容部材が取り付けられる立ち上がり部を含むため、より適切に本体部の転倒を防止することができる。したがって、このような給紙装置は、装置構成を簡易にしながら、給紙装置の転倒の防止および給紙装置の移動の規制を効果的に行うことができる。
【００１４】
また、このような画像形成装置は、装置構成を簡易にしながら、画像形成装置の転倒の防止および画像形成装置の移動の規制を効果的に行うことができる。
【図面の簡単な説明】
【００１５】
【図１】この発明の一実施形態に係る給紙装置を備える画像形成装置をデジタル複合機１１として適用した場合のデジタル複合機の外観を概略的に示す概略図である。
【図２】図１に示すデジタル複合機の構成を示すブロック図である。
【図３】図１に示すデジタル複合機に備えられる給紙装置を示す斜視図である。
【図４】この発明の一実施形態に係る給紙装置に備えられる転倒防止具の概略斜視図である。
【図５】図４に示す転倒防止具に含まれる車輪収容部材を示す斜視図である。
【図６】図４に示す転倒防止具に含まれる支持部材を示す斜視図である。
【図７】キャスターおよび転倒防止具が取り付けられた給紙装置の領域付近を拡大して示す斜視図である。
【図８】図８は、キャスターおよび転倒防止具が取り付けられた給紙装置の領域付近の概略断面図である。
【図９】一方の挿通孔に挿通された一方の突出部付近を示す拡大断面図である。
【発明を実施するための形態】
【００１６】
以下、この発明の実施の形態を説明する。図１は、この発明の一実施形態に係る給紙装置を備える画像形成装置をデジタル複合機１１として適用した場合のデジタル複合機１１の外観を概略的に示す概略図である。図２は、図１に示すデジタル複合機１１の構成を示すブロック図である。図３は、図１に示すデジタル複合機１１に備えられる給紙装置１９を示す斜視図である。
【００１７】
図１〜図３を参照して、デジタル複合機１１は、制御部１２と、操作部１３と、画像読み取り部１４と、画像形成部１５と、給紙装置１９と、排出トレイ２８と、格納部としてのハードディスク１６と、ファクシミリ通信部１７と、ネットワーク２５と接続するためのネットワークインターフェース部１８とを備える。なお、給紙装置１９を備えるデジタル複合機１１は、載置面２０上に載置されている。
【００１８】
制御部１２は、デジタル複合機１１全体の制御を行う。操作部１３は、デジタル複合機１１側から発信する情報やユーザーの入力内容を表示する表示画面２１を含む。操作部１３は、印刷部数や階調性等の画像形成の条件や電源のオンまたはオフを入力させる。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、原稿の画像を読み取る。給紙装置１９は、画像形成部１５に画像を形成するための用紙を供給する。画像形成部１５は、トナーを用いて現像を行う現像装置２３を含む。画像形成部１５は、画像読み取り部１４により読み取られた画像やネットワーク２５を介して送信された画像データを基に、搬送されてきた用紙に画像を形成する。画像形成部１５により画像を形成された用紙は、排出トレイ２８に排出される。ハードディスク１６は、送信された画像データや入力された画像形成条件等の格納を行う。ファクシミリ通信部１７は、公衆回線２４に接続されており、ファクシミリ送信やファクシミリ受信を行う。
【００１９】
なお、デジタル複合機１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）等を備えるが、これらについては、図示および説明を省略する。また、図２中の矢印は、制御信号や制御、画像に関するデータの流れを示している。
【００２０】
デジタル複合機１１は、画像読み取り部１４により読み取られた原稿を用いて画像形成部１５において画像を形成することにより、複写機として作動する。また、デジタル複合機１１は、ネットワークインターフェース部１８を通じて、ネットワーク２５に接続されたコンピューター２６ａ、２６ｂ、２６ｃから送信された画像データを用いて、画像形成部１５において画像を形成して用紙に印刷することにより、プリンターとして作動する。すなわち、画像形成部１５は、要求された画像を印刷する印刷部として作動する。また、デジタル複合機１１は、ファクシミリ通信部１７を通じて、公衆回線２４から送信された画像データを用いて、ＤＲＡＭを介して画像形成部１５において画像を形成することにより、また、画像読み取り部１４により読み取られた原稿の画像データを、ファクシミリ通信部１７を通じて公衆回線２４に画像データを送信することにより、ファクシミリ装置として作動する。デジタル複合機１１は、画像処理に関し、複写機能、プリンター機能、ファクシミリ機能等、複数の機能を有する。さらに、各機能に対しても、詳細に設定可能な機能を有する。
【００２１】
図１に示すデジタル複合機１１を含む画像形成システム２７は、上記した構成のデジタル複合機１１と、ネットワーク２５を介してデジタル複合機１１に接続される複数のコンピューター２６ａ、２６ｂ、２６ｃとを備える。この実施形態においては、複数のコンピューター２６ａ〜２６ｃについては、３台示している。各コンピューター２６ａ〜２６ｃはそれぞれ、デジタル複合機１１に対して、ネットワーク２５を介して印刷要求を行って印刷をすることができる。デジタル複合機１１とコンピューター２６ａ〜２６ｃとは、ＬＡＮ（Ｌｏｃａｌ  Ａｒｅａ  Ｎｅｔｗｏｒｋ）ケーブル等を用いて有線で接続されていてもよいし、無線で接続されていてもよく、ネットワーク２５内には、他のデジタル複合機やサーバーが接続されている構成でもよい。
【００２２】
次に、画像形成部１５に用紙を供給する給紙装置１９の構成について説明する。給紙装置１９は、サイズの異なる複数枚の用紙を収納可能な給紙カセット群３２と、給紙カセット群３２に収納される用紙を画像形成部１５に搬送する用紙搬送部３３とを含み、筐体から構成されている本体部３１を備える。なお、デジタル複合機１１については、給紙装置１９に含まれる本体部３１の上部側に、操作部１３や画像読み取り部１４、画像形成部１５といったデジタル複合機１１の主要な構成が載置されるようにして構成されている。
【００２３】
給紙カセット群３２は、それぞれサイズの異なる複数枚の用紙を収納可能な三つの給紙カセット２９ａ、２９ｂ、２９ｃを含む。給紙カセット２９ａ、２９ｂ、２９ｃは、上から順に配置されている。すなわち、画像形成部１５に最も近い最上部には、給紙カセット２９ａが配置され、最下部には、給紙カセット２９ｃが配置される。
【００２４】
給紙装置１９は、給紙装置１９を含むデジタル複合機１１の移動を容易にするための四つのキャスター３６ａ、３６ｂ、３６ｃ、３６ｄを含む。キャスター３６ａは、転がり面を有する車輪３７と、車輪３７の回転軸となる車軸３８と、車軸３８を支持する車軸支持部３９とを備える。他のキャスター３６ｂ、３６ｃ、３６ｄについても、キャスター３６ａと同様の構成であるため、それらの説明を省略する。四つのキャスター３６ａ〜３６ｄは、給紙装置１９の本体部３１の下方側の四つの隅の領域に取り付けられている。それぞれのキャスター３６ａ〜３６ｄに備えられる車輪３７により、給紙装置１９を含むデジタル複合機１１の移動を円滑にすることができる。
【００２５】
また、給紙装置１９は、車輪３７の転がりによる移動を規制すると共に、本体部３１の転倒を防止する四つの転倒防止具４１ａ、４１ｂ、４１ｃ、４１ｄを備える。四つの転倒防止具４１ａ〜４１ｄはそれぞれ、四つのキャスター３６ａ〜３６ｄに対応して設けられている。
【００２６】
次に、転倒防止具４１ａの構成について説明する。図４は、この発明の一実施形態に係る給紙装置１９に備えられる転倒防止具４１ａの概略斜視図である。図５は、図４に示す転倒防止具４１ａに含まれる車輪収容部材４２を示す斜視図である。図６は、図４に示す転倒防止具４１ａに含まれる支持部材４３を示す斜視図である。図７は、キャスター３６ａおよび転倒防止具４１ａが取り付けられた給紙装置１９の領域付近を拡大して示す斜視図である。図８は、キャスター３６ａおよび転倒防止具４１ａが取り付けられた給紙装置１９の領域付近の概略断面図である。
【００２７】
図１〜図８を参照して、この発明の一実施形態に係る給紙装置１９に備えられる転倒防止具４１ａは、車輪３７を収容する車輪収容部材４２と、給紙装置１９を支持する支持部材４３とから構成されている。
【００２８】
ここでまず、車輪収容部材４２の構成について説明する。車輪収容部材４２は、弾性を有する円弧状部材４６を含む。円弧状部材４６はおおよそ、環状の部材に対して、いわゆる切り欠き４７を一部に設けた形状である。すなわち、円弧状部材４６の中央には、空間４８が形成される。この空間４８に車輪３７が収容される。車輪３７の収容に際しては、切り欠き４７の両側に形成される円弧状部材４６の両端部４９ａ、４９ｂの弾性変形を利用して車輪３７が空間４８に収容される。切り欠き４７は、円弧状部材４６が環状であった場合の３６０°に対して、２０°〜４０°の範囲で設けられる。
【００２９】
円弧状部材４６の内方側の壁面５１には、車輪３７の転がり面４０に沿った曲面が設けられている。この壁面５１については、円弧状部材４６の上面５２ａ側から下面５２ｂ側に沿って、内部の空間４８の容積が小さくなるように構成されている。上面５２ａ側における円弧状部材４６の径は、図５中の長さＬ１で示される。下面５２ｂ側における円弧状部材４６の径は、図５中の長さＬ２で示される。長さＬ１としては、φ４０ｍｍ〜φ１００ｍｍが適用される。また、図８に示すように、円弧状部材４６の内方側の壁面５１を構成する円弧面の径Ｒ２は、車輪３７の径Ｒ１よりも大きく構成されている。なお、車輪３７が空間４８に収容された際に、車輪３７の転がり面４０は、載置面２０に接している。
【００３０】
円弧状部材４６の外方側に位置する壁面５３の一部は、平らに構成されている。平らに構成された壁面５３には、外方側に突出する二つの突出部５４ａ、５４ｂが設けられている。二つの突出部５４ａ、５４ｂについても、弾性部材から構成されている。この場合、突出部５４ａ、５４ｂと円弧状部材４６から構成される車輪収容部材４２は、一体の弾性部材から形成されている。車輪収容部材４２の材質としては、例えば、ＣＲゴムなどゴム状の素材が挙げられる。
【００３１】
二つの突出部５４ａ、５４ｂは、それぞれ間隔を開けて設けられている。一方側の突出部５４ａは、壁面５３から外方側に延びる円柱部５５ａと、円柱部５５ａの先端の領域から壁面５３と平行な方向に延びる鍔部５６ａとを含む。他方の突出部５４ｂについても同様の構成であり、突出部５４ｂは、円柱部５５ｂと、鍔部５６ｂとを含む。
【００３２】
次に、支持部材４３の構成について説明する。支持部材４３は、剛性を有する部材、例えば、金属板から構成されている。すなわち、支持部材４３は、この実施形態においては、一つの金具である。支持部材４３は、給紙装置１９を載置する載置面２０に対向するようにして配置される平坦部６１と、平坦部６１から立ち上がるようにして設けられる立ち上がり部６２とを含む。平坦部６１の下方側の面６３ａが、載置面に対向する面となる。支持部材４３は、平坦部６１および立ち上がり部６２を構成するように、一枚の板状の金属部材を折り曲げて形成されている。図８に示すように、支持部材４３は、断面略Ｌ字状である。
【００３３】
平坦部６１は、略矩形状に設けられている。平坦部６１の中央には、平坦部６１の上方側の面６３ｂ側に膨出するようにして膨出部６４ａが設けられている。膨出部６４ａは、例えば、平坦部６１の絞り込み加工により形成される。このような膨出部６４ａを設けることにより、平坦部６１の強度を上げることができる。
【００３４】
立ち上がり部６２は、矩形状の平坦部６１の一つの長辺側の端部から平坦部６１に対して垂直な方向に延びるようにして設けられている。立ち上がり部６２についても、略矩形状に設けられている。立ち上がり部６２の中央領域においても、立ち上がり部６２の強度を上げるために、絞り込み加工によって、膨出部６４ｂが設けられている。膨出部６４ｂは、本体部３１に取り付けられた時に、本体部３１に対向する面６５ａ側から外方側に位置する面６５ｂ側に向かって膨出するように設けられている。
【００３５】
立ち上がり部６２の上方側の領域には、板厚方向に貫通する貫通孔６６ａ、６６ｂ、６７ａ、６７ｂが設けられている。貫通孔６６ａ、６６ｂは、丸孔状であり、貫通孔６７ａ、６７ｂは、長孔状である。貫通孔６６ａと貫通孔６７ａ、貫通孔６６ｂと貫通孔６７ｂはそれぞれ、対として設けられている。図８に示すように、支持部材４３は、これらの貫通孔６６ａ、６６ｂ、６７ａ、６７ｂを利用して、ねじ３５により、本体部３１側に取り付けられる。この場合、四か所でねじ３５により取り付けられているため、本体部３１に対して回転等することはなく、確実に本体部３１に対して支持部材４３の位置を決めて取り付けることができる。
【００３６】
支持部材４３に含まれる立ち上がり部６２には、上記した車輪収容部材４２に設けられた二つの突出部５４ａ、５４ｂを挿通させる二つの挿通孔６８ａ、６８ｂが、板厚方向に貫通するように設けられている。挿通孔６８ａ、６８ｂはそれぞれ、丸孔状である。二つの挿通孔６８ａ、６８ｂ同士の間隔は、二つの突出部５４ａ、５４ｂ同士の間隔と同等である。
【００３７】
車輪収容部材４２と支持部材４３とは、二つの突出部５４ａ、５４ｂを、二つの挿通孔６８ａ、６８ｂにそれぞれ挿通させるようにして組み合わされている。図９は、一方の挿通孔６８ａに挿通された一方の突出部５４ａ付近を示す拡大断面図である。
【００３８】
図９を参照して、突出部５４ａに含まれる円柱部５５ａの径は、挿通孔６８ａの径よりも小さく構成されている。一方、突出部５４ａに含まれる鍔部５６ａの径は、挿通孔６８ａの径よりも大きく構成されている。具体的には、図９中の長さＬ３で示される円柱部５５ａの径と、図９中の長さＬ４で示される挿通孔６８ａの径と、図９中の長さＬ５で示される鍔部５６ａの径との関係については、長さＬ３＜長さＬ４＜長さＬ５となるよう構成されている。この場合、円柱部５５ａの外周面５７ａと、挿通孔６８ａの内周面６９ａとの間には、隙間５８が形成されることとなる。この隙間５８は、いわゆる左右方向のみではなく、上下方向にも設けられるものである。
【００３９】
車輪収容部材４２は、突出部５４ａ、５４ｂ、具体的には、鍔部５６ａ、５６ｂの弾性変形を利用して、鍔部５６ａ、５６ｂを含む突出部５４ａ、５４ｂを挿通孔６８ａ、６８ｂにそれぞれ挿通させて、支持部材４３に取り付けられる。この場合、鍔部５６ａ、５６ｂの径は、挿通孔６８ａ、６８ｂの径よりも大きいため、車輪収容部材４２が支持部材４３から脱離しようとしても、鍔部５６ａ、５６ｂの内方側の面５９ａが挿通孔６８ａ、６８ｂを構成する立ち上がり部６２の外方側の面６５ｂに引っ掛かり、脱離を防止することができる。また、このような取り付けは、弾性変形を利用することになるため、その構成が簡易となる。
【００４０】
すなわち、このような給紙装置１９によると、車輪収容部材４２に含まれ、弾性を有する円弧状部材４６によって、車輪３７を円弧状部材４６の内方側に収容する際に、簡易な構成としながら、弾性変形を利用して容易に収容させることができる。この場合、車輪収容部材４２は、車輪３７を囲うようにして内方側の空間４８を形成する円弧状部材４６を含むため、例えば、本体部３１を持ち上げることなく車輪３７を収容させることができ、作業性の向上を図ることができる。また、円弧状部材４６を構成する内方側の壁面５１が、車輪３７の転がり面４０に沿った曲面で構成されているため、より適切に車輪３７の転がりによる移動を規制することができる。また、支持部材４３は、給紙装置１９を載置する載置面２０に対向するようにして配置される平坦部６１および車輪収容部材４２が取り付けられる立ち上がり部６２を含むため、より適切に本体部３１の転倒を防止することができる。したがって、このような給紙装置１９は、装置構成を簡易にしながら、給紙装置１９の転倒の防止および給紙装置１９の移動の規制を効果的に行うことができる。
【００４１】
この場合、車輪収容部材４２は、円弧状部材４６の外方側に突出する突出部５４ａ、５４ｂを含む。また、立ち上がり部６２には、突出部５４ａ、５４ｂを挿通させる挿通孔６８ａ、６８ｂが設けられている。そして、車輪収容部材４２は、挿通孔６８ａ、６８ｂに突出部５４ａ、５４ｂを挿通させて支持部材４３に取り付けられている。したがって、より容易に車輪収容部材４２を支持部材４３に取り付けることができ、より装置構成を簡易にすることができる。
【００４２】
また、この場合、突出部５４ａ、５４ｂは、円柱部５５ａ、５５ｂを含む。また、挿通孔６８ａ、６８ｂは、丸孔状である。そして、円柱部５５ａ、５５ｂの径は、挿通孔６８ａ、６８ｂの径よりも小さく構成されている。したがって、車輪収容部材４２と支持部材４３との取り付けにおいて、取り付け時の作業をより容易にすることができる。
【００４３】
また、この場合、円弧状部材４６の内方側の壁面５１を構成する円弧面の径Ｒ２は、車輪３７の径Ｒ１よりも大きく構成されているため、より円滑に給紙装置１９の移動の規制を効果的に行うことができる。
【００４４】
また、このようなデジタル複合機１１は、上記した構成の給紙装置１９を備えるため、装置構成を簡易にしながら、デジタル複合機１１の転倒の防止およびデジタル複合機１１の移動の規制を効果的に行うことができる。
【００４５】
なお、上記の実施の形態においては、車輪収容部材は、環状の部材に切り欠きを設けた円弧状部材を含むこととしたが、これに限らず、車輪収容部材は、半円弧状の部材を含むよう構成してもよい。
【００４６】
また、上記の実施の形態においては、挿通孔と突出部との間に隙間を有することとしたが、これに限らず、隙間を有しない構成としてもよい。
【００４７】
なお、上記の実施の形態においては、四つのキャスターに対して、四つの転倒防止具を備えることとしたが、これに限らず、全てのキャスターに対応する転倒防止具を設けなくともよく、少なくとも一つのキャスターに対して転倒防止具を設ける構成としてもよい。
【００４８】
また、上記の実施の形態において、挿通孔および突出部によって、車輪収容部材を支持部材に取り付けることとしたが、これに限らず、いずれか一方の部材または双方の部材に設けられた係合する部分によって、車輪収容部材を支持部材に取り付けることとしてもよい。
【００４９】
なお、上記の実施の形態においては、支持部材は、一枚の板状の金属部材を折り曲げて形成されることとしたが、これに限らず、支持部材は、複数の部材から構成されていてもよい。また、剛性を有する部材であれば、金属でなくとも構わない。また、車輪収容部材についても、複数の部材で構成されていてもよい。また、車輪収容部材についても、ＣＲゴムなどゴム状の部材に限らず、例えば、弾性を有する樹脂製であってもよい。
【００５０】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００５１】
この発明に係る給紙装置および画像形成装置は、装置構成を簡易にしながら、装置の転倒の防止および装置の移動の規制を効果的に行うことが要求される場合に、特に有効に利用される。
【符号の説明】
【００５２】
１１  デジタル複合機、１２  制御部、１３  操作部、１４  画像読み取り部、１５  画像形成部、１６  ハードディスク、１７  ファクシミリ通信部、１８  ネットワークインターフェース部、１９  給紙装置、２０  載置面、２１  表示画面、２２  ＡＤＦ、２３  現像装置、２４  公衆回線、２５  ネットワーク、２６ａ，２６ｂ，２６ｃ  コンピューター、２７  画像形成システム、２８  排出トレイ、２９ａ，２９ｂ，２９ｃ  給紙カセット、３１  本体部、３２  給紙カセット群、３３  用紙搬送部、３５  ねじ、３６ａ，３６ｂ，３６ｃ，３６ｄ  キャスター、３７  車輪、３８  車軸、３９  車軸支持部、４０  転がり面、４１ａ，４１ｂ，４１ｃ，４１ｄ  転倒防止具、４２  車輪収容部材、４３  支持部材、４６  円弧状部材、４７  切り欠き、４８  空間、４９ａ，４９ｂ  端部、５１，５２ａ，５２ｂ，５３，５７ａ，５９ａ，６３ａ，６３ｂ，６５ａ，６５ｂ，６９ａ  面、５４ａ，５４ｂ  突出部、５５ａ，５５ｂ  円柱部、５６ａ，５６ｂ  鍔部、５８  隙間、６１  平坦部、６２  立ち上がり部、６４ａ，６４ｂ  膨出部、６６ａ，６６ｂ，６７ａ，６７ｂ  貫通孔、６８ａ，６８ｂ  挿通孔。
【図１】
2016161607.tif 000003
【図２】
2016161607.tif 000004
【図３】
2016161607.tif 000005
【図４】
2016161607.tif 000006
【図５】
2016161607.tif 000007
【図６】
2016161607.tif 000008
【図７】
2016161607.tif 000009
【図８】
2016161607.tif 000010
【図９】
2016161607.tif 000011